【手続補正書】
【提出日】平成18年7月24日(2006.7.24)
【手続補正１】
【補正対象書類名】特許請求の範囲
【補正対象項目名】全文
【補正方法】変更
【補正の内容】
【特許請求の範囲】
【請求項１】
環境湿度に応じて出力パルス信号の周波数が変化する湿度センサーからの信号に基づいて環境湿度を検知する環境測定装置において、
前記出力パルス信号の高レベル出力期間もしくは低レベル出力期間を前記出力パルス信号よりも高周波のパルスでカウントする第１のカウント手段と、
決められた期間に、前記出力パルス信号の立ち上がり、もしくは立ち下がりの回数をカウントする第２のカウント手段と、
高湿度測定モードで測定する場合、前記第２のカウント手段のカウント値に基づいて環境湿度が低湿度かを判断し、低湿度でないと判断すると前記第２のカウント手段のカウント値に基づいて環境湿度を算出し、低湿度測定モードで測定する場合、前記第１のカウント手段のカウント値に基づいて環境湿度が高湿度かを判断し、高湿度でないと判断すると前記第１のカウント手段のカウント値に基づいて環境湿度を算出する制御手段とを有することを特徴とする環境測定装置。
【請求項２】
前記制御手段は、高湿度測定モードで測定している時に、前記第２のカウント手段のカウント値に基づいて環境湿度が低湿度と判断すると、前記第１のカウント手段のカウント値に基づいて環境湿度を算出し、低湿度測定モードで測定している時に、前記第１のカウント手段のカウント値に基づいて環境湿度が高湿度と判断すると、前記第２のカウント手段のカウント値に基づいて環境湿度を算出することを特徴とする請求項１に記載の環境測定装置。
【請求項３】
環境湿度に応じて出力パルス信号のデューティが変化する湿度センサーからの信号に基づいて環境湿度を検知する環境測定装置において、
前記出力パルス信号の高レベル出力期間もしくは低レベル出力期間を前記出力パルス信号よりも高周波のパルスでカウントする第１のカウント手段と、
決められた期間に、前記出力パルス信号の立ち上がり、もしくは立ち下がりの回数をカウントする第２のカウント手段と、
前記第１のカウント手段と前記第２のカウント手段のカウント値が入力され、前記第１のカウント手段のカウント値に基づいて環境湿度が高湿度か低湿度かを判断し、その判断の結果に応じて、前記高周波のパルスの周波数を切り替えて環境湿度を算出する制御手段とを有することを特徴とする環境測定装置。
【請求項４】
前記制御手段は、前記第２のカウント手段のカウント値が所定値範囲内であれば前記湿度センサーが正常であると判断し、前記第１のカウント手段のカウント値を基に環境湿度を算出することを特徴とする請求項３に記載の環境測定装置。
【請求項５】
前記制御手段は、前記第１のカウント手段のカウント値を基に環境湿度を算出し、前記算出した環境湿度が高湿度の場合に前記高周波のパルスの周波数を下げ、前記算出した環境湿度が低湿度の場合に前記高周波のパルスの周波数を上げることを特徴とする請求項３に記載の環境測定装置。
【手続補正２】
【補正対象書類名】明細書
【補正対象項目名】発明の名称
【補正方法】変更
【補正の内容】
【発明の名称】環境測定装置
【手続補正３】
【補正対象書類名】明細書
【補正対象項目名】０００１
【補正方法】変更
【補正の内容】
【０００１】
本発明は、例えば電子写真方式を用いた複写機、プリンタ等の画像形成装置の内外の使用環境状態を環境（湿度）センサーを用いて検知する環境測定装置に関するものである。
【手続補正４】
【補正対象書類名】明細書
【補正対象項目名】０００９
【補正方法】変更
【補正の内容】
【０００９】
本発明は、上記のような問題点に着目してなされたもので、コスト安の湿度センサーを用いて、且つ全湿度域において高い測定精度を維持することができる環境測定装置を提供することを目的としている。
【手続補正５】
【補正対象書類名】明細書
【補正対象項目名】００１１
【補正方法】変更
【補正の内容】
【００１１】
（１）環境湿度に応じて出力パルス信号の周波数が変化する湿度センサーからの信号に基づいて環境湿度を検知する環境測定装置において、前記出力パルス信号の高レベル出力期間もしくは低レベル出力期間を前記出力パルス信号よりも高周波のパルスでカウントする第１のカウント手段と、決められた期間に、前記出力パルス信号の立ち上がり、もしくは立ち下がりの回数をカウントする第２のカウント手段と、高湿度測定モードで測定する場合、前記第２のカウント手段のカウント値に基づいて環境湿度が低湿度かを判断し、低湿度でないと判断すると前記第２のカウント手段のカウント値に基づいて環境湿度を算出し、低湿度測定モードで測定する場合、前記第１のカウント手段のカウント値に基づいて環境湿度が高湿度かを判断し、高湿度でないと判断すると前記第１のカウント手段のカウント値に基づいて環境湿度を算出する制御手段とを有することを特徴とする環境測定装置。
（２）前記制御手段は、高湿度測定モードで測定している時に、前記第２のカウント手段のカウント値に基づいて環境湿度が低湿度と判断すると、前記第１のカウント手段のカウント値に基づいて環境湿度を算出し、低湿度測定モードで測定している時に、前記第１のカウント手段のカウント値に基づいて環境湿度が高湿度と判断すると、前記第２のカウント手段のカウント値に基づいて環境湿度を算出することを特徴とする前記（１）に記載の環境測定装置。
（３）環境湿度に応じて出力パルス信号のデューティが変化する湿度センサーからの信号に基づいて環境湿度を検知する環境測定装置において、前記出力パルス信号の高レベル出力期間もしくは低レベル出力期間を前記出力パルス信号よりも高周波のパルスでカウントする第１のカウント手段と、決められた期間に、前記出力パルス信号の立ち上がり、もしくは立ち下がりの回数をカウントする第２のカウント手段と、前記第１のカウント手段と前記第２のカウント手段のカウント値が入力され、前記第１のカウント手段のカウント値に基づいて環境湿度が高湿度か低湿度かを判断し、その判断の結果に応じて、前記高周波のパルスの周波数を切り替えて環境湿度を算出する制御手段とを有することを特徴とする環境測定装置。
（４）前記制御手段は、前記第２のカウント手段のカウント値が所定値範囲内であれば前記湿度センサーが正常であると判断し、前記第１のカウント手段のカウント値を基に環境湿度を算出することを特徴とする前記（３）に記載の環境測定装置。
（５）前記制御手段は、前記第１のカウント手段のカウント値を基に環境湿度を算出し、前記算出した環境湿度が高湿度の場合に前記高周波のパルスの周波数を下げ、前記算出した環境湿度が低湿度の場合に前記高周波のパルスの周波数を上げることを特徴とする前記（３）に記載の環境測定装置。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】